(57)【要約】【課題】乳幼児や手荷物等を抱き運ぶ際、人や物が安定して安全に保持され、使い勝手の自由度が高く、携帯性、収納性も良くかつ構造がシンプルな安楽性、安全性の高い環状帯を提供すること。【解決手段】環状帯１はＷ幅を有する支持部２と支持部幅Ｗの整数倍の幅を有し、支持部幅Ｗと同じ幅で均等に波折りに折り重ねて、この折り重ねた面を支持部端に結合固定し、この結合固定した部分を基点として残余の波折りに折り重ねられた部分を展開すると凹形弧状面となる保持部３と２つの開口部４を有する。【選択図】  図１
2006081598.tif 000002
【特許請求の範囲】
【請求項１】
円筒状の布を円筒の軸方向に円筒長の１／Ｎ幅（Ｎは2以上の整数）で均等に波折りに折り重ねて、この折り重ねた所定区間を密着固定して支持部とし、残余の折り重ねの部分を前記支持部の両端部を基点として展開することによって形成される凹形弧状となる面を保持部としたことを特徴とする環状帯。
【請求項２】
略矩形形状の布を布幅方向に布幅の１／Ｎ幅（Ｎは2以上の整数）で均等に波折りに折り重ねて、この折り重ねた面の両端部を所定量重ね合わせて密着固定した部分を支持部とし、残余の折り重ねの部分を前記支持部の両端部を基点として展開することによって形成される凹形弧状となる面を保持部としたことを特徴とする環状帯。
【請求項３】
支持部と、保持部とが結合されて略環状を成す環状帯であって、前記支持部は屈曲性のある材質からなる略矩形形状のもので、前記保持部は幅が前記支持部幅の整数倍の幅を有する矩形形状の布を前記支持部の幅と同じ幅で均等に波折りに折り重ねて、この折り重ねた面を前記支持部端部に重ね合わせて結合固定して、この結合固定した部分を基点として残余の波折りに折り重ねられた部分を展開することによって凹形弧状面となることを特徴とする環状帯。
【発明の詳細な説明】
【技術分野】
【０００１】
本発明は、環状帯に関するものである。
【背景技術】
【０００２】
従来の環状帯の代表的な形態である肩掛け式抱っこ帯として図１０、図１１に示すものがある。図１０に示すものは、環状帯１０１がクッション材や当て布を付加した肩当部１０２と、該肩当部１０２に縫合されると共に対向面が予め曲面状に形成された子供保持部１０３として構成されている(特許文献１)。又、図１１に示すものは、環状帯２０１の一部を他部より幅狭くなるよう寄せ縮めて弾力性を有する肩当部２０２に縫合すると共に該肩当部２０２の対向面に形成されている子供保持帯２０３の一側縁にベルト２３０、他側縁に弾力性を有する帯片２３１が設置されて構成されている(特許文献２)。
【０００３】
その為、特許文献１の発明にあっては、次の事が欠点として挙げられる。
１．予め、子供保持部分１０３を凹み部として幼児の臀部の形状に合わせて曲面状に形成しているので、素材の寸法取り等が煩雑でもある。
２．子供を使用者の体の前面に座らせて支える仕組みになっているので、抱っこの自由度に欠ける。
また、特許文献２の発明にあっては次のことが欠点として挙げられる。
１．ベルトを着脱する手間が掛かる。
２．装着後は、ベルト側の開口部が使用者の体で塞がれてしまう為、使用できる開口部は1ケ所に限られる。
３．ベルトが金具等との組合せになっているので、金具等による子供のケガを予防する為に、使用中及び保管場所等に注意が必要である。
【特許文献１】実開平１−９２８６２号公報
【特許文献２】登録実用新案  第３０４７６０３号公報
【０００４】
また更に、特許文献２に示す発明にあっては、子供保持部に掛かる不均衡荷重が、寄せ縮めのある肩当部（２０２）にそのまま不均衡荷重として反映されるという問題点があった。この問題点を図４に基づいて更に詳しく以下に説明する。図１２は環状の抱っこ帯２０１の側面図であり、子供保持部２０３を肩当部２０２の幅Wで均等幅に区切った幅をA、B、C、D、Eとし、このA乃至Eの幅に対応する肩当部２０２をひだ寄せをして布幅を寄せ縮めて肩当部２０２に縫合した部分が幅ａ、ｂ、ｃ、ｄ、ｅで示されている。
【０００５】
子供保持部２０３のA幅部分に子供を乗せると、A幅の延長部分である肩当部２０２のａの部分に子供の荷重が掛かり、その方向は子供の重心とａの属する面の仮想中心とを結ぶ重力方向となる。同様にしてB、C、D、Ｅの夫々に負荷が掛かると、その負荷の荷重は支持部のｂ、ｃ、ｄ、ｅの属する面で、その面の仮想中心と子供の重心とを結ぶ重力方向に掛かる。
【０００６】
つまり、子供が子供保持部２０３の全面A、B、C、D、Eに動かずに乗っている静的偏荷重の場合には、その静的偏荷重の作用する位置と方向は、部分的に見ればA、B、C、D、Ｅの各部に掛かっている不均衡な静的偏荷重が肩当部２のａ、ｂ、ｃ、ｄ、ｅの各面にそのまま偏荷重として掛かっていて、その作用位置と方向は各面の仮想中心の位置で、この仮想中心と各面に掛かっている子供の重さの重心とを結ぶ重力方向に作用する。また、当然のことながら、これを全体として見れば、支持部の荷重中心を仮想中心として、この仮想中心の位置で、この仮想中心と子供の重心とを結ぶ重力方向に作用する。ところで、子供が保持部の中で動く場合、即ち、A、B、C、D、Ｅの各部に動的偏荷重が掛かる場合は、全体として見れば、支持部に作用する荷重の位置と方向は、肩当部２の荷重中心である仮想中心の位置で、この仮想中心と子供の重心とを結ぶ重力方向に作用するが、この動的偏荷重の作用する位置と方向の双方が子供の動きと同期して変化するので、子供にとっては安定する位置を定めにくく動く頻度が多くなる、従って使用者にとっては荷重の作用位置と方向とが動く度に振れを伴って変動するので姿勢等不安定な状態で使用することとなるので、双方にとって安定性と安全性に欠ける。
【発明の開示】
【発明が解決しようとする課題】
【０００７】
本発明は以上のような従来の環状の抱っこ帯の欠点に鑑み、保持部面にかかる荷重の静的又は／及び動的偏荷重に対して、支持部には常に支持部面全体に均等な荷重が掛かると共に、保持部が振れても治まりやすく、保持部に乗せられた物は保持部面によって包み込まれる状態（応形性の凹形弧状の状態）となって安定性と安楽性の高い状態で保持され、着脱操作等の操作が容易で使い勝手の自由度が高く、携帯性、収納性も良く、かつ、構造がシンプルな安全性の高い環状帯を提供することを目的としている。
【０００８】
本発明の前記並びにその他の目的と新規な特徴は、次の説明を添付図面と照らし合わせて読むと、より完全に明らかとなろう。ただし、図面はもっぱら解説の為のものであって、本発明の技術的範囲を限定するものではない。
【課題を解決するための手段】
【０００９】
上記目的を達成する為に本発明は、円筒状の布を円筒の軸方向に円筒長の１／Ｎ幅（Ｎは2以上の整数）で均等に波折りに折り重ねて、この折り重ねた所定区間を密着固定して支持部とし、残余の折り重ねの部分を前記支持部の両端部を基点として展開することによって形成される凹形弧状となる面を保持部として構成した環状帯である。  
【００１０】
また、第二の発明は、略矩形形状の布を布幅方向に布幅の１／Ｎ幅（Ｎは2以上の整数）で均等に波折りに折り重ねて、この折り重ねた面の両端部を所定量重ね合わせて密着固定した部分を支持部とし、残余の折り重ねの部分を前記支持部の両端部を基点として展開することによって形成される凹形弧状となる面を保持部として構成した環状帯である。  
【００１１】
また、第三の発明は、支持部と、保持部とが結合されて略環状を成す環状帯であって、前記支持部は屈曲性のある材質からなる略矩形形状のもので、前記保持部は幅が前記支持部幅の整数倍の幅を有する矩形形状の布を前記支持部の幅と同じ幅で均等に波折りに折り重ねて、この折り重ねた面を前記支持部端部に重ね合わせて結合固定して、この結合固定した部分を基点として残余の波折りに折り重ねられた部分を展開することによって凹形弧状面となるように構成した環状帯である。
【発明の効果】
【００１２】
上記第一の発明、第二の発明、及び、第三の発明は、支持部の端部に、支持部の幅と同じ幅で、波折りに折り重ねられた保持部の端部が密着固定されていて、この密着固定された部分を基点として保持部を開くことによって、この開かれた保持部は凹形弧状に形成された構造になっていることによって以下のような作用、効果がある。
【００１３】
即ち、１．折り重なっている部分を開くことによって形成されている保持部に載置された負荷物の重さは、折り重ねて密着固定した端部を介して支持部に重畳して掛かり、ひいては支持部の全面に均等に掛かるように作用するので、使用者が環状帯の支持部を肩に掛けたり、腕に吊下げたりして使用した場合に、部分的な圧迫、血流の阻害が無く長時間の使用に絶えることができる、という効果がある。
【００１４】
２．また、この支持部の面中心が支持部に掛かる荷重の仮想中心となり、この仮想中心は負荷の動的、静的偏荷重に係らず常に一定の位置となるから、この仮想中心と負荷物の重心とを結ぶ重力方向の位置は単純に定まるので、例えば、子供が保持部に乗って動いたとしても不安定な感覚を持たずに動くことができ、使用者にとっても安定性と安全性が確保される、という効果がある。
【００１５】
３．また更に、歩行中の使用や、内部での負荷の動きに伴う保持部の揺れは、仮想中心を支点として揺れながらも、実際には支持部の密着固定した幅端部に生じる拮抗する張力で抑制されるので、揺れ幅も少なく、短時間で安定するので、負荷物および使用者にとって安定性と安全性が確保される、という効果がある。
【００１６】
４．更にまた、凹形弧状の保持部に載置された負荷物は折り重ねて密着固定した支持部幅端に生じる拮抗力により保持部と接する部分が略その物の形に応じた応形形状状態で保持されるので、安楽性のある安定状態で保持されるので、例えば子供が乗った場合には気持ちよく保持されているので殆ど動くことがなく、使用者にとっても負荷変動の少ないことにより安定性と安全性を確保される、という効果がある。
【００１７】
また、更に以下に列挙する効果もある。５．載置物を出し入れする際、保持部側部の両側を使うことができる。６．構造が簡単であるので安価にして容易に製造することができる。７．使い方が簡単で安全にして容易に着脱できる。８．安全な材質でできているので、抱っこ帯に使用した場合でも、子供にケガをさせることなく使用でき、保管の場所も気にする必要が無い。９．出来上がりの形態が表裏ほぼ同じ形なので、裏表の両面使用が可能である。
【発明を実施するための最良の形態】
【００１８】
以下本発明を実施する為の最良の形態を実施の形態１、２、３として図面を用いて詳細に説明するがこの実施の形態の記載に限定されず本発明の技術的思想を具現化する種々の変更が加えられうる。
【実施例１】
【００１９】
図１乃至図７の本発明を実施するための第１の形態において図１（ａ）（ｂ）は本環状帯１であり、点線で表わされている部分は、縫製した縫目を示す。
図１（ａ）の本環状帯１は所定幅Ｗを有する支持部２とこの幅Ｗの整数倍の幅（本実施例では５倍）を有する保持部３とを互いの端部で縫合した結合部Ｋを有する環状のものであって、支持部２の両端の結合部Ｋに続く保持部３は支持部２の幅Ｗで波折りに５段に折り重ねて、支持部２の両端部に縫合されている。この縫合された結合部Ｋを基点として保持部３の前期複数の波折りの折り重なりを支持部２の面と反対側に展開することにより凹形弧状の保持部３となる。
【００２０】
続いて、図２を用いて本環状帯１の製作過程を説明する。
第１工程（裁断図２（ａ））
図２（ａ）に示すように、本環状帯１となる素材を方形に裁断する。図において短手Ｆ、Ｈは保持部３の幅を成し、長手Ｇ、Ｉは開口部４の両側を成す布である。
第２工程（筒状帯の製作図２（ｂ））
長手Ｇ、Ｉが筒周になる様に短手ＦとＨを所定幅Ｌで重ね合わせ重なり部位Zを仮止めして筒状帯を作る。
第３工程（波折り加工図２（ｃ））
筒状帯に折り目印として、実線Ｙ１、Ｙ２を山折り線、点線Ｔ１、Ｔ２を谷折り線として、所定均等幅Ｗで折り線印を記した。この折り線印の通りに筒周径にそって交互に山折り、谷折りにすると、山折り線Ｙ１とＹ２筒端Ｉが重なり、筒端Gと谷折り線Ｔ１、Ｔ２が重なり揃う。このイ、ロ、ハ、ニ、ホの５段の波折りの折り重なりを持つ環状帯のうち、最も重なり厚みがある前記所定幅Ｌの重なり部位Zの重なりを縫合、結合して支持部２とし、保持部３と一体化して完成したものが、図１（ａ）、（ｂ）に示す本環状帯１である。
【００２１】
以上の様に構成された本発明の基本となる作用を図１３、図１４を用いて説明する。
図１３は本発明の環状帯１を展開した状態の側面図（従来例の作用を説明した図１２に対応）。図１４は本発明の環状帯１の保持部を中央で切断し、支持部を中心にして展開した図である。
図において、Ｍ、Ｎ、Ｏ、Ｐの各点は支持部２の４隅の点であり折り重ねた保持部３の支持部２との結合部Kの端点である。イ、ロ、ハ、ニ、ホは５段に折り重ねた各面を示している。イ、ハ、ホ面は結合部Ｋから平面のまま続き展開するが、ロの面はヘ部位で、ニの面はト部位で反転して展開しており、ΔM，へ，N（ΔP，チ，Ｏ）とΔＭ，ト，Ｎ（ΔＰ，リ，Ｏ）はまだ開く余地のある面である。
基本作用１（支持部の均等負荷と保持部の均等保持）
図１３においてまず、保持部３のイの部分に負荷が掛かるとイ部分の延長部分でありイ幅部分と同じ幅を持つ支持部２の面の幅Ｗに負荷の荷重が掛かる。これと同じ論でロの負荷もＷに、ハ、ニ、ホの負荷もそれぞれＷに掛かることになる。よって保持部３のイ、ロ、ハ、ニ、ホの各部に偏った負荷物の重さが掛かった場合でもそれぞれの偏った負荷の重さが幅Ｗ間に重畳して掛かることになるので、負荷全体の重さが幅Ｗ間に均等に掛かり、ひいては支持部２の全面にほぼ均等の負荷が掛かることになる。よって保持部３も均等に保持される。
基本作用２（保持部の応形性のある不偏的凹形弧状面と緊張支持）
図１４において支持部２の対向面である保持部３を支持部２の面の反対側に展開すると、結合部Ｋ、Ｋの各端点Ｍ、Ｎ、Ｏ、Ｐがそれぞれ支店となり５段に重ねた布の折り重なりが開き、保持部幅方向に偏りのない凹形弧状を成す保持部３となる。また保持部３が支持部２の幅Ｗ以上に展開すると、展開面は各結合支点Ｍ、Ｎ、Ｏ、Ｐから緊張支持される。特に展開幅が広くなるほど（矢印方向）、端部ＱはＮ、Ｏから、他端部ＶはＭ、Ｐから引っ張られてより緊張する為、端部Ｑ、Ｖの位置は内側に引かれ寄り、凹形弧が深くなる。
また、まだ開く余地のある折り重なり部の折り山と折り谷が重なっている部分は離開可能であり、載置物の突起部分が押し当てられると、布面が押されて開隆し、曲がり、たわみ、変形し、突起部への応形作用がある。
基本作用３（保持部の振れに対する拮抗作用と制御作用）
保持部３のＱ部分が振れた場合、振れをもどす拮抗作用がＱ部分を吊持する結合部Ｋ、Ｋと、結合支点Ｍ、Ｎ、Ｏ、Ｐから相互に働く。同じ論がＲ、Ｓ、Ｔ、Ｕ、Ｖ部分についても言える。またこの拮抗作用と、前述の基本作用２の緊張支持とにより、負荷物を載置した保持部３が振れると振れが制御される作用が働く。よって復元力があり重心が定まり易く、振れに対する安定性が良い。すなわち支持部２の安定性に寄与する。
基本作用４（たすき掛け使用時は、ねじれに応じつつねじれを抑制する）
載置物の動きにより、保持部３がねじれると結合支点Ｍ、Ｎ、Ｏ、Ｐから放射状に広がるそれぞれの布の重なり部がねじれ、重なり詰まり、ゆるみ、離開してねじれに応じる作用がある。
しかし、２つの開口部４から使用者の斜め上半身をくぐらせ（図４（ａ）（ｂ）参照）、支持部２を肩にたすき掛けにした使用状態では、保持部２のねじれは使用者の体前面側だけでの現象となる。この部位でねじれると使用者の体でねじれが阻止され、かつ重心の作用も働き前記ねじれに応じる作用利点の範囲にねじれが抑制される。つまり保持部３は使用者の胸面側の重なりが変化、対応し、背面を斜めに渡る保持部３の重なり部には引っ張り圧力となって伝わる。この時負荷の荷重は結合支点Ｍ、Ｎ、Ｏ、Ｐと結合部Ｋ、Ｋにバランス良く掛かり、保持部３がねじれても支持部２の面に均等な負荷の荷重が掛かる。すなわち保持部３のねじれがあっても適度に抑制され、支持部２は安定し、それが保持部３にフィードバックする。
基本作用５（接面への負荷荷重分散）
載置物のある保持部３の布面が使用者と接する面積が広いほど、この接面に保持部３の重さの荷重が分散される。
以上の通り、本発明には５つの基本作用がある。
固有作用１（支持部の可撓性と緩衝作用）
支持部２を構成する複数の波折りの布の折り重なりの一体化部位が、厚みがありながら使用者の体に適度に添う可撓性と緩衝作用を発揮しつつ、布の重なりのズレを生じない為、使用者の体に密接し、負荷過重が掛かってもズレない。本発明を実施するための最良の第３の実施の形態においては支持部となる支持部材に本固有作用１を持つ性状のものを用いれば、前記２第１、第２の実施の形態と同じ効果がある。
【００２２】
以下、本発明の環状帯１の収納方法とその手順を図３（ａ）乃至（ｄ）にそって説明する。
第１手順  本環状帯１の保持部３を支持部２の幅で環にそって波折りに折り重ねる（図１（ｂ）参照）。
第２手順  支持部２を端にして細長だ円形に伸ばす（図３（ａ））。
第３手順  折り揃えた保持部３をぴったり重ね伸ばし、１本の帯状にする（図３（ｂ））。
第４手順  １本の帯状にした本保持帯の端部に位置する支持部２を芯にして保持部３の上位置まで折り曲げ、保持部３の中間位置をひねり、ひねり部に続く保持部３の下端部を離開して輪にする（図３（ｃ））。
第５手順  保持部３の下端部を離開して輪にした保持部３の輪の中に、折り曲げた支持部２と保持部３の折り曲げ部分を通して、挟み入れ、収納が完了する。
以上の様に本環状帯１は簡単な手順でコンパクトに収納できるので携帯に便利である。装着脱も簡単である為、必要時にすぐ使用できる。また収納袋が不要であり、布を縫いあわせただけの帯であるので、乳幼児の身近にあっても危険がなく安全に保管できる。
【００２３】
次に本環状帯１を抱っこおびに用いた場合の使い方について、図４、図５に基づいて説明する。
首がすわらない乳児に用いる場合（図４（ａ）（ｂ））
首がすわらない乳児（以後乳児と称す）５を本環状帯１の保持部３に載置、収納する。方法には次の２通りがある。第１の方法は本環状帯１を床面に置き保持部３の布面を障り無く充分に広げる。そして幅方向か、幅方向よりやや斜めに乳児５を載置、収納し、支持部２を中心にして持ち上げ、使用者６の肩にたすき掛けにする方法である。第２の方法は、使用者６が支持部２をたすき掛けにして肩に掛け、乳児５をあお向けに寝かせて保持部３の都合の良い方の開口部４から、幅方向または幅方向よりやや斜めに、足元側の布余りを多くして載置、収納する方法である。収納後使用者６の片手は乳児５の頭肩部を、もう片方の手は腰背部をおび布の上から添え支える。この様に使用者６はおび布の上から両手を添えて乳児５の自然なあお向けの姿勢を使用者６の腹部の位置で保持する。
この首がすわらない乳児５を抱く際は以下の様な問題がある。
１．首を安定させて抱かなければならない。
２．体が柔らかく自力で安楽な姿勢をする事ができない乳児５を安楽な姿勢（背中をやや丸め、股関節を開き膝を曲げた姿勢）に保って支え抱かなければならない。
３．小刻みに回数多く抱かなければならない。
４．授乳時は必ず抱かなければならない。
５．外出時は乳児５の体を保護布（おくるみ等）で被って抱かなくてはならない。
６．乳児５の顔を観察しながら抱かなくてはならない。
本環状帯１を前述の使用法で乳児５に用いる事によりこれらの問題に対応する事ができる。
まず、前記抱き姿勢は、両者間の顔の距離が必要十分に保てる為、使用者６が乳児５に視線を配り易い為、乳児５の顔を観察しやすい。
また前述の「コンパクト収納と利点」により、抱く回数が小刻みに多い乳児５を敏速に容易に抱き、外す事ができる。しかも接合操作が不要の為、手指の不自由な人も容易に使う事ができる。
また乳児５を収納後、保持部端の前記足元側の余布分を乳児５の足から上半身まで折り返し被い包む事ができる為、乳児５の落下防止と保護になり、安全である。
また前述した基本作用２の「応形性の不偏的凹形弧状と緊張支持」により、収納した乳児５の体の一部だけの締めつけや圧迫をしない余裕のある内部であり、偏りのない凹形弧底部である為、乳児５の背中の自然な湾曲を底部に沿わせ、股関節を広げ、膝を曲げた乳児５に好ましい姿勢にさせて抱く事ができる。よって乳児５にとって安楽である。また、十分な内部空間がある為、抱き姿勢によっては保持部３に収納したままで授乳をする事もできる。
また、緊張支持される作用と、前述した基本作用１の「支持部の均等負荷と保持部の均等保持」とにより、支持部２にほぼ均等に乳児５の重さの荷重が掛かり、使用者６の肩の一部だけに荷重が集中せず、また乳児５は保持部３に均等に保持される為、使用者６は、おび布の上から乳児５の頭肩部と腰背部に手を添える程度でも、乳児５は伸縮性の無い布材であれば体の重い一部分だけが沈み込んだりする事がなく、安定して保持され、両者にとって安楽である。また、前述した固有作用１の「支持部の可撓性と緩衝作用」により支持部２はズレにくいので安楽かつ安全である。
また乳児５を抱えた使用者６の上半身は軽く返り身になる為、保持部３は使用者６の体前面に傾き寄る。よって重心が使用者６側に寄り、抱き易い。この時２つの開口部４のうち使用者６側は使用者６の体で塞がれ、乳児５の落下防止になる。使用者６が前傾姿勢をとると塞がれていた開口部４を開き弛める事ができる。
また前述した基本作用５「接面への負荷荷重分散」により、前記返り身の抱き姿勢では、保持部３が使用者６の体前面に傾き寄り添う為、接面が広がり、荷重が分散される。図４（ｂ）においても、使用者６の背中に肩から斜めに渡る保持部３との接面を有し、この波折りの折り重なり部分も、乳児５が大型化して嵩ばるに応じて開き更に接面が増えるので、荷重がより分散される。よって本環状帯１は乳児５の大型化に伴なう使用者６への荷重負担の分散にも応じる。よって使用者６は乳児５の重さの荷重を支持部２を掛ける肩だけでなく、体の広範囲の接面で受け止めることができる為安楽性が高い。
尚、保持部３を障りなく広げた広い布面は、乳児５の敷き物、掛け物、おくるみにも安全に使用でき、便利である。
以上の様に本環状帯１の使用によって前述の問題点が解決されて、収納された乳児５は保持部３の布面から広範囲に被われ、使用者６の体接面からもおび布ごと保護される為緩く囲み包まれる形状となり、外観、使用感共に優しい気持ちが湧き、安楽かつ安全に首がすわらない乳児５を収納、保護し、安心して外出、運搬ができる。
【００２４】
首がすわった乳幼児に用いる場合（図５（ａ））
図では首がすわった乳幼児（以後、乳幼児と称す）７を使用者６が「背面縦抱き」にしている。背面縦抱きでは、使用者６が乳幼児７を背面から抱き、股関節を広げあぐらをかかせた様に座らせた姿勢で、保持部３に収納、保持するものであり、使用者６の片手は乳幼児７の胸部上半身を添え支え、もう片方の手を布上から腰殿部に添えて抱く。
乳幼児７を保持部３に載置、収納する方法は、本環状帯１を使用者６の肩にたすき掛けに掛けてから保持部３を広げ、２つの開口部４の都合の良い方から乳幼児７を載置、収納する。抱き外す際は、この逆の手順をとる。
この首がすわった乳幼児７を抱く際は以下の様な問題がある。
１．首のすわらない乳児期よりも外出の時間、回数が増えるにもかかわらずまだ歩けない為、そのつど抱かなければならない。
２．まだ授乳時期にあり、外出先でも授乳時には必ず抱かなければならない。
３．身長、体重も増え、重く嵩張る様になるので抱くのに体力の消耗も多くなる。
４．乳幼児７の体の動きが活発になり、事故防止を考慮してバランスをくずさない様に注意して抱く必要がある。
すなわち、本環状帯１を首がすわった乳幼児７に前述の使用法で用いる事によりこれらの問題に対応する事ができる。
つまり、前述した基本作用２の「応形性のある不偏的凹形弧状面と緊張支持」により、保持部３の内部は収納した乳幼児７の体の一部分だけの締めつけや、圧迫をしない余裕のある構造であり偏りのない凹形弧底部に乳幼児７の腰殿部は安定して収まり、血行障害が無く体を自由に動かす事ができる。また背部上半身は使用者６の胸面に接し支えられ、胸部上半身は使用者６の片方の手で添え支えられる為安定する。また結合部Ｋに近い保持部３のまだ開く余地のある波折りの折り重なり部分が、乳幼児７の上半身の動きや上体の突起に押され開隆し、応形作用を示す。またこの部位が乳幼児７の重さで上下に張りつめた布面から挟まれる様に開隆挟持される。よって活発に動く月齢にある乳幼児７の上体は動いても安定して保持され安楽、安全である。
また、前述した基本作用１の「支持部の均等負荷と保持部の均等保持」により、乳幼児７の重さの荷重は支持部２にほぼ均等に掛かる為使用者６の肩の一部分だけに荷重が集中する事が無いので安楽である。また保持部３に収納した乳幼児７が、どこに座ってもほぼ均等に保持される。また前述した固有作用１の「支持部の可撓性と緩衝作用」により、肩に掛かる支持部２はズレにくいので安楽かつ安全である。
また前述した基本作用３の「保持部の振れに対する拮抗作用と制御作用」により、乳幼児７を収納した保持部３が振れても復元力が働き重心が早く定まり易く、早く戻る。よって乳幼児７は振れても安定して保持され、安全である。
また、前述した基本作用４の「ねじれに応じる作用」により、乳幼児７を収納した保持部３がねじれても、支持部２は安定している。この安定支持により、乳幼児７を収納した保持部３がねじれても早く戻り、安定するので、乳幼児７は安全である。
また前述した基本作用５の「接面への負荷荷重分散」により、乳幼児７の重さの荷重は肩に掛けた支持部２だけでなく、使用者６と保持部３との全接面にも分散して掛かる為、使用者６の体の一部分だけに荷重が集中する事が無いので安楽性が高い。また乳幼児７が大型化して嵩張るほど保持部３の展開面が広がり、その広がりに応じて接面が増える為、荷重はより分散される。つまり、乳幼児７の大型化に伴う使用者６への荷重負担増大に対して、より分散して応じる為、安楽化が図れる。
また前述の「コンパクト収納と利点」により、外出回数や抱く時間が増えた乳幼児７を容易に手早く抱く事ができる。そしてベビーカーを使用できない階段や車内で、ベビーカーと本環状帯１を交互に使用するのも容易であり、便利である。
また保持部３の展開面が十分広い為、乳幼児７を収納したままで使用者６の胸部上半身を被う事が出来、外部の視線を遮断出来る為、外出時も人の視線を気にせず落ちついて保持部内空間で授乳が出来、便利である。
また大型化して重く、嵩張る乳幼児７を何も使わずに抱く場合は、力を込めて密着させて抱かなければならないが、本環状帯１の使用により乳幼児７の重さの荷重を受け止める使用者６の上半身が返りぎみになる為、保持部３は使用者６の体前面に傾き寄り、密着する。そして使用者６はおび布の上から乳幼児７の腰殿部に手を添える程度で良い。この様に本環状帯１そのものが密着を助ける役割となり、両者にとって安楽、安全である。
以上の様に本環状帯１を使用する事によって、乳幼児７を抱く際の前記問題が解決でき、使用者６は体力の消耗を防ぎながら乳幼児７を安楽で完全に抱き運ぶ事ができる。
【００２５】
本環状帯１は環長の調節が出来なくても、条件によっては体が小型だった乳児期から使用の物を引き続き乳幼児７に有利に使う事ができる。つまり首がすわらない乳児期の保持部３の内部は、観察の為と、特有の抱き方により、空間距離に余裕がある。この保持部３に大型化した乳幼児７を載置、収納すると前記空間は乳幼児７の嵩張りでほど良く埋められる。また保持部幅も十分広い為、条件によっては成長の途中で環長の異なる本環状帯１に何回も変更する必要が無く、引き続き使用する事ができる。ただし、体格の異なる使用者に変わった場合はこの限りでは無い。
【００２６】
また図示しなかったが、前記「背面縦抱き」の他に「対面縦抱き」や「対面斜め抱き」もできる。対面縦抱きでは使用者６が対面して抱いた乳幼児７をあぐらをかいた様な股関節が広がる姿勢で保持部３に収納、保持するものである。対面斜め抱きでは乳幼児７を保持部３内に斜めに寝かせて載置、収納し、おび布の上から使用者６が斜めに抱き支え、保持、運搬するものである。眠った乳幼児７を抱き運ぶ際には便利である。いずれの抱き方においても前述の背面抱き（図５（ａ）参照）の作用、利点と共通するものである。
【００２７】
歩く年齢の幼児に用いる場合（図５（ｂ））。
図では、歩く年齢の幼児（以後、幼児と称す）８を使用者６が「背面腰かけ縦抱き」にしている。背面腰かけ縦抱きでは使用者６が幼児８を背面から抱き保持部３にブランコに座る様にして深く腰掛けさせて載置、収納し、両膝下は外に出して下垂させる。使用者６は片手で幼児８の胸部を引き寄せ上半身を支え、もう片方の手を保持部３の布上から腰殿部に添え抱く。
幼児８を保持部３に載置、収納する方法は、支持部２を使用者６の肩にたすき掛けにしてから保持部３を広げ幼児８が安全に深く腰かけられる奥行きに保持部幅を調節する。余布分は内外いずれかに折り曲げ、都合の良い方の開口部４から幼児８を載置、収納する。抱き外す際は、この逆の手順をとる。
この歩く年齢の幼児８を抱く際は以下の様な問題がある。
１．歩けても急に抱っこをせがむ事が良くある。
２．外出先で眠ったら抱き運ばなくてはならない。
３．身長、体重が増え嵩張り、片手で抱いたり長時間抱くのは困難で、より体力を使う。
すなわち、本環状帯１を幼児８に前述の使用法で用いる事により、これらの問題に対応する事ができる。また前述の「首がすわった乳幼児」に使用した場合と同様の作用効果がある。
また歩く年齢の幼児８に用いた場合の有利な点として、幼児８が急に抱っこをせがんだとしても、前述の「コンパクト収納と利点」により、本環状帯を身近に携帯できる為、容易に抱っこの求めに応じる事ができる。
また前述の基本作用の２の「保持部の応形性のある不偏的凹形弧状面と緊張支持」により、身長、体重が嵩ばる幼児８の殿部は、安定して収納保持される。また活発に動く上半身が支持部２に近い保持部３の展開可能部位に押し当てられると開隆し、応形作用を示す。この部位が幼児８の重さで上下に張りつめた布面から挟まれる様にして挟持される。この開隆挟持作用によっても上半身は安定して保持され、安全である。また、使用者６の胸面に幼児８の背面が接し支えられ、幼児８を抱く使用者６の上半身が返り身になる為、幼児８は後ろに傾き寄り、使用者６の胸面に更に密着する為、安楽かつ安全である。
また、幼児８が外出先で眠った場合でも十分な幅のある保持部３の幅方向にそって幼児８を寝かせて安楽な姿勢で載置、収納、保持運搬する事ができるので便利である。
また、前述した基本作用５の「接面への負荷荷重分散」により、嵩張る幼児８を収納し広がった保持部３の布面と使用者６との接面は更に増え、幼児８の重さの荷重が分散する上、前述した基本作用１の「支持部の均等負荷荷重と保持部の均等保持」により、使用者６と幼児８の両者にとって安楽に抱き、抱かれる事が可能である。また前述した固有作用１の「支持部の可撓性と緩衝作用」により、肩に掛かる支持部２はズレにくいので安楽かつ安全である。
以上の様に身長、体重が増え嵩張る幼児８に本環状帯１を使用する事によって幼児８を抱く際の前記問題が解決でき、長時間でも安楽に安全に抱き運ぶ事ができる。
【００２８】
図示しなかったが、前述の「背面腰かけ縦抱き」（図５（ｂ）参照）と同様の要領で「対面腰かけ縦抱き」も出来る。対面腰かけ縦抱きでは、幼児８を使用者６が、対面で抱き、幼児８の股関節を広げ、保持部３に腰かけ座りにして載置、収納し、外に出した足を使用者６の腹部をはさむ様に広げて下垂させる。使用者６は片手で幼児８の背部を引き寄せ支え、もう片方の手を保持部３の布上から腰殿部に添え抱く。抱き外す際はこの逆の手順である。特に対面腰かけ縦抱きの場合は、幼児８の背中迄保持部３の布を広げ上げる事により、幼児８が動いてうしろに返り身になっても安全に保持できる。外出先で眠った幼児を抱き運ぶ際にも便利である。
この抱き方で抱いたとしても、前記背面腰かけ縦抱きと同様の作用、効果がある。
【００２９】
次に本環状帯１を「腕吊具」に用いた場合の使い方について図６（ａ）（ｂ）に基づいて説明する。
腕吊具においては障害のある腕を保持する為に所定サイズの本環状帯１を腕吊具１として用いるものである。
図６（ａ）では、骨折や麻痺等による腕の障害のある使用者（以後使用者と称す）９の、障害のある腕（以後障害腕と称す）９ａを、適切な姿勢で保持部３に載置・収納・保持する。
使い方は、支持部２を使用者９の健常腕側の肩にたすき掛け、健常手で保持部３の環状底部を持ち障害腕９ａの肘先にかけ、載置する。次に前腕と手先がかくれる様に保持部３を広げ、障害腕９ａ全体を適切な位置、角度で収納する。外す際は、この逆の手順で外す。
障害腕を持つ人は日常的に以下の様な問題がある。
１．障害腕を適切な位置に安定させて、安全に保たなければならない。
２．障害腕が濡れたり、汚れたりしない様に汚染から保護しなければならない。
３．障害腕を持ちながら、機能回復訓練や、仕事、日常生活で、動かなければならない。
【００３０】
図６（ａ）において前述した基本作用２の「保持部の応形性のある普遍的な凹形弧状面と緊張支持」による構造と布の可撓性とにより、保持部３は直面、曲面が作れる為、障害腕９ａの曲部である肘と手先、直部である前腕部を所定の姿勢で保持する事ができる。また保持部３の幅方向両端の布余りを、それぞれ障害腕９ａの肘関節部位と手先を被いくるむ様にして内側に挟み込む事により、使用者９の移動時やリハビリ運動時に障害物に引っ掛かる事を防止できる。
また、前述した基本作用１の「保持部の均等負荷荷重と保持部の均等保持」、基本作用５の「接面への負荷荷重分散」とにより保持部３に収納された障害腕９ａは支持部２から均等に保持される。また前述した固有作用１の「支持部の可撓性と緩衝作用」により、肩に掛かる支持部２はズレにくいので安楽かつ安全である。また障害腕９ａの重さの荷重は支持部２にほぼ均等に掛かるだけでなく、使用者９の背部に斜めに渡っている保持部３（図６（ｂ））との接面を含める全ての接面にも分散して掛かる為、使用者９の体の一部だけに荷重が集中する事がなく安楽である。
また所定サイズの本腕吊り具１の２つの開口部４と保持部３の環内部は使用者９の斜め上半身と障害腕９ａとで、ほど良く嵩張り塞がれる為、密着し安定性が良い。よって使用者９が振れ動いても保持部３は振れにくく、害腕９ａは安定して保持される。
この様に障害腕９ａを適切な定位置に保つ場合や、障害腕９ａを持ちながらリハビリ運動や仕事、日常生活を続ける際に本腕吊り具１を使用する事により障害腕９ａの保護、安定を保ちながら安楽かつ安全に行動ができる。
【００３１】
図示していないが、本腕吊り具１を首かけ式で使う方法もある。
「首かけ式腕吊り具」（以後、首かけ式と称す）の用途も、前記たすき掛け式腕吊り具（以後、たすき掛け式と称す）と同じである。首掛け式においては、支持部２を使用者の首にかけて、保持部３に障害腕を保持する。使い方の手順は前記たすき掛け式に準ずる。本首かけ式に特徴的な作用・効果として、保持部３が使用者の背面に渡っていない為、たすき掛け式に比べて接面が小さく、障害腕の重さの荷重の分散が小さいので、使用者の首への負担が多い。
また収納腕の肘側保持部は使用者の躯幹との密着度が高く振れにくいが、手先側保持部は使用者の躯幹から離れ、使用者の体の振れに伴い、わずかに振れる。しかし、首かけ式は、使用時、首に掛けるだけであり、たすき掛け式よりも動作が簡単であり使い易い。
【００３２】
次に本環状帯１を「引き起こし具」に用いた場合の使い方について図７（ａ）（ｂ）にもとづいて説明する。
引き起こし具においては、補助があれば起き上がれる人（以後起きる人と称す）１０の上半身に所定サイズの引き起こし具１を開口部４から通し、支持部２を起きる人１０の体前面中央にして、展開した保持部３の幅方向を腰背部から後頭部全体に敷き伸ばし、介助者１１が支持部２を握って引き起こすものである（図７（ａ））。
補助があれば起き上がれる人を起こす時には以下の様な問題点がある。
１．補助されて起き上がる際に、本人の力が足りない為バランス良く上半身を保てない。
２．介助者は、起き上がりたい人の体のどこを支えればうまく起こせるのかが分かりにくい。
３．補助する際、介助者はどの位置で支えたら良いかを定めにくい。
４．急に起こすと寝ていた人の容態の変動が起き易い為、介助者は補助される人の顔を観察しながら起こさなければならない。
図７（ｂ）において
前述した基本的作用２の「保持部の応形性のある不偏的凹形弧状面と緊張支持」により、保持部３の応形性の凹形弧状面に起きる人１０の上半身は安定して収納、保持され、安楽である。また、前述した基本作用１の「支持部の均等負荷荷重と保持部の均等保持」により、起きる人１０の重さの荷重は、支持部２にほぼ均等に掛かる。同時に上半身を収納した保持部３も支持部２からほぼ均等に保持される為、起きる人１０の上半身は安定保持されて安全に引き起こせる。また、介助者１１は均等負荷荷重が掛かる支持部２の面を手掌に合わせて握り、起きる人１０の自分でも起き上がろうとする力に合わせて、支持部２を握った手を通して体重をかけて引く事により、荷重が手掌の一部分だけに集中する事がなく無理なく安楽に引き起こす事ができる
以上の様に本引き起こし具を用いる事により、対面での使用の為、介助者の立ち位置が決め易く、起こす人の顔を観察しながら、誰が介助しても安楽、安全に上半身を引き起こす事ができる。
【００３３】
図示していないが、本環状帯１を物品を保持する為の所定サイズの「物入れ具」に用いた場合の使い方について説明する。
所定サイズの物入れ具においては、支持部を使用者の肩にたすき掛けや腕掛け、及び手提げ式にして保持部に手荷物やペット（小動物）等の物品を載置、保持、運搬するものである。使用手順は、先に支持部を使用者の肩にたすき掛けや腕に掛ける、手に提げてから、保持部に物品を収納するか、保持部に収納してから支持部を支持するかいずれかの方法で行なう。外す時はこの逆の手順で行なう。
手荷物を持つ際は以下の様な問題がある。
１．重く嵩張る手荷物は手や肩への負担が大きい。
２．肩や腕に掛けた手荷物が肩や腕の一部分にくい込んだり、ズレたりして持ちにくい。
前述した基本作用２の「保持部の応形性のある不偏的な凹形弧状面と緊張支持」により、余裕のある不偏的な凹形弧状面を成す保持部３に、重く嵩張る手荷物やペット等を安定して収納、保持する事ができる。また前述した基本作用１の「支持部の均等負荷と保持部の均等保持」と固有作用１の「支持部の可撓性と緩衝作用」とにより保持した物品の重さの荷重が支持部にほぼ均等に掛かる為、支持部を支え持つ肩や手の一部分だけに荷重が集中したり、ズレたりしない。又保持部は支持部から均等に保持される為、伸縮性の無い素材を用いた場合は保持部に収納した物品の重い部分だけが沈み込んだりする事なく均等に安定して保持される。
以上の様に本環状帯１を物入れ具として用いる事によって、物品（手荷物）を安定して、安楽・安全に収納、保持、運搬する事ができる。また前述した「コンパクト収納と利点」により本物入れ具を持ち歩く事が簡単である為、いつでも容易に使う事ができて便利である。
【００３４】
次に図８、図９に示す本発明を実施するための異なる形態につき説明する。なおこれらの本発明を実施するための異なる形態の説明にあたって、前記本発明を実施するための最良の第１の形態と同一構成部分は参照引用し、同一符号を付して重複する図と説明を省略する。
【実施例２】
【００３５】
図８に示す本発明を実施するための第２の形態において、前記本発明を実施するための最良の第１の形態と主に異なる点は、製作過程の製作順序の違いであり、図（８）では前記第１の形態の製作過程と重複する図を省略した本第２の実施の形態の製作過程（図８（ａ）乃至（ｂ）である。
以下、本発明を実施するための最良の第１の形態と同一構成図は参照引用し、図にそって製作過程を説明する。
まず、縫製前環状帯布は図２（ａ）と同じであるおび状の広幅布であり、長手Ｇ、Ｉ（図では長手を省略図とした）と、短手Ｆ、Ｈとからなる。なお、この短手Ｆ、Ｈ幅は本環状帯１の完成後、保持部３の幅を成し、長手Ｇ、Ｉは開口部４（図１（ａ）参照）の両側を成す布である（図２（ａ）参照）。縫製前環状帯布（図２（ａ）参照）の長手方向にそって、所定均等幅Ｗ（短手Ｆ、Ｈ幅の１／Ｎ（Ｎは２以上の自然数であり、本環状帯１の完成後、支持部２の幅である）に山折り、谷折りを交互に折り、この複数の折り目をぴったり重ね、長おび状にしたおび幅端に長手端Ｇ、谷折り線Ｔ１、Ｔ２が揃い、山折り線Ｙ１、Ｙ２、長手端Ｉが、重なり揃った長おび帯１２であり、この長おび帯１２の長手両端を重ね合わせる過程で長おび帯１２を曲げて馬蹄形にしたおび帯１３、馬蹄形おび帯１３の両端を所定幅Ｌで重ね合わせ縫合固定した結合部Ｋ・Ｋ，この結合部Ｋ・Ｋ間の最も重なり厚みがある重なり部位Ｌを縫着して支持部２とし、保持部３と一体化して完成した環状帯１であり、保持部３を展開すると本環状帯１（図１（ａ）参照）となる。第１の形態の環状帯１（図１（ａ）（ｂ）参照）と、第２の形態の環状帯１図８（ｃ）との違いは、支持部２を構成する布の重なり方が異なる為の、支持部２の布の重なり外観だけの違いである。この様に形成した環状帯１にしても、本発明を実施するための最良の形態と同様な作用効果が得られる。
【実施例３】
【００３６】
図９に示す本発明を実施するための第３の形態において、前記本発明を実施するための最良の第１及び第２の形態と主に異なる点は製作過程の製作順序と材料の一部分の違いであり、図９は前記第１の形態と第２の形態の製作過程と重複する図を省略した本第３の実施の形態の製作過程（図９（ａ）（ｂ））である。
以下、本発明を実施するための最良の第１の形態と第２の形態と同一構成部分は参照引用し、同一符号を付して、重複する図と説明を省略し、図にそって製作過程を説明する。
まず、用意する縫製前環状帯布は、本発明を実施するための第１と第２の形態と同じ（図２（ａ）参照）である。次からは実施のための第２の形態の製作と同じ手順で（図８（ａ）（ｂ））、馬蹄形にしたおび帯１３（図８（ｂ）参照）までを作成する。
図９（ａ）は、馬蹄形おび帯１３（図８（ｂ）参照）の長手両端に結合されて支持部となる支持部材１４である。馬蹄形おび帯１３（図８（ｂ）参照）の長手両端部に支持部材１４を縫合法、接着法等で合目的に結合して、この支持部材１４を有する支持部２と保持部３を一体化して完成した本環状帯１であり、保持部３を展開すると図１（ａ）とほぼ同じ外観を呈する。本第３の形態の環状帯と、第１及び第２の形態の環状帯１との違いは、支持部２の構成材料が異なる為の、支持部２の外観だけの違いである。この様に形成した環状帯１にしても、本発明を実施するための実施の形態１と同様な作用効果が得られる。
【００３７】
各部材の好ましい材料，形状等について以下に示す。本環状帯１は使用目的によって製作材料を変える事ができる。いずれにおいても主として人に密着使用する物である為、支持部、保持部、支持部材とも以下の基本条件が求められる。
軽い、丈夫である。通気性・吸湿性が優れている、洗濯しやすい、柔軟で肌ざわりが良い、撓う、すべらない布質である（密着してすべらない為の）天然素材であるが同様な素材であれば合成繊維であっても適したものとなる。
以上の基本条件の上で、保湿性、撥水性、発光性、難燃性、遮光性、等の特徴、利点を生かした素材で夏用、冬用、雨天用、夜用、災害避難用、儀式用等の用途に応じた本環状帯１を製作することができる。
また前述した「製作過程」により、表裏の形態がほぼ同じである為、表裏ともに使える素材を用いる事により、両面兼用の本環状帯１となり、使用時に表裏を判別する手間が省ける為、緊急時には特に便利である。
また構成が簡単である為、特別な裁縫技術のない人でも手作りができる。また前記基本条件に合う身近なリサイクル可能な布材でも作ることができる。同様に本環状帯１が不要になった時は縫解して１枚布に戻し、更にリサイクルが出来、資源活用に適う。
参考に各部位の基準としたサイズを以下に記す。
保持部幅（短手F・H）  およそ      １１０ｃｍ
支持部幅              およそ      １０ｃｍ
折り重ね段数          １１段
環状帯長              およそ      １４０ｃｍ
支持部材の形状の基本形は長方形の様な矩形形状であるが、変形として略矩形形状であるところの台形型、中央部の幅を広げた太鼓型、中央部の幅を狭めた鼓型等の形状も用途に応じてあり得る。材質は、厚みがあり、撓う素材（布の重ねも可能、皮、合成皮、化学繊維）。保持部材は、保持部内を透視できる網目、レース素材、肌ざわりの良い二重ガーゼ素材、通気性のある防水素材（天然、化繊、ゴアテックス）。結合部材の形状は、支持部の変形形状に応じた結合部材形状。結合方法は、縫合法、接着法等の合目的方法で行なう。
【産業上の利用可能性】
【００３８】
本発明は、子ども用抱っこおびを製造する産業、腕吊具や引き起こし具を用いて医療介護用品を製造する産業および物入れ具を用いて鞄などを製造する産業で利用される。
【図面の簡単な説明】
【００３９】
【図１】本発明の第１の形態の斜視図（ａ）であり、保持部を折り重ねた正面斜視図（ｂ）である。
【図２】本発明の最良の第１の形態の製造工程を示した図である。
【図３】本発明の第１の形態の収納手順を示した図である。
【図４】本発明の第１の形態の、首のすわらない乳児への使用状態の正面図（ａ）であり、首のすわらない乳児への使用状態（図４（ａ））の後面図（ｂ）である。
【図５】本発明の第１の形態の首のすわった乳児への使用状態の正面図（ａ）であり、本発明の最良の第１の形態の歩ける幼児への使用状態の正面図（ｂ）である。
【図６】本発明の第１の形態の腕吊具への使用状態の正面図（ａ）であり、本発明の第１の形態の腕吊具への使用状態の後面図（ｂ）である。
【図７】本発明の第１の形態の引き起こし具への使用状態の引き起こす準備が整った側面図（ａ）であり、引き起こしている側面図（ｂ）である。
【図８】本発明の第２の形態の製造工程（一部図省略）である。
【図９】本発明の第３の形態の製造工程（一部図省略）である。
【図１０】従来の肩かけ式抱っこ帯１０１（特許文献１）の正面図であり（ｂ）、従来の肩かけ式抱っこ帯１（特許文献１）の斜視図（ａ）であり、従来の肩かけ式抱っこ帯１（特許文献１）の使用例である。
【図１１】従来の肩かけ式抱っこ帯２０１（特許文献２）の斜視図（ａ）であり、使用例（ｂ）である。
【図１２】従来の環状の抱っこおび（図１１）２０１の作用を示した側面図である。
【図１３】本発明の平均荷重作用を示した側面図である。
【図１４】本発明の応形作用、拮抗作用を示した両側面図である。
【符号の説明】
【００４０】
１：環状帯
２：支持部
３：保持部
４：開口部
５：首のすわらない乳児
６：使用者
７：首のすわった乳幼児
８：歩く年齢の幼児
９：障害腕のある使用者
９ａ：障害腕
１０：補助があれば起き上がれる人
１１：介助者の手
１２：長おび帯
１３：馬蹄形おび帯
１４：支持部材
Ａ、Ｂ、Ｃ、Ｄ、Ｅ：保持部幅区分
ａ、ｂ、ｃ、ｄ、ｅ：肩当て部幅区分
Ｆ、Ｈ：短手（短辺）
Ｇ、Ｉ：長手（長辺）
Ｋ：結合部
Ｌ：重なり幅
Ｍ、Ｎ、Ｏ、Ｐ：支持部四隅（結合部支点）
Ｑ、Ｒ、Ｓ、Ｔ、Ｕ、Ｖ：保持部区分点
Ｗ：支持部幅（１／Ｎ幅）
Ｔ１、Ｔ２：谷折り線
Ｙ１、Ｙ２：山折り線
Ｚ：重なり部位
イ、ロ、ハ、ニ、ホ：折り重ねた各面
ヘ、ト、チ、リ：反転部位
【図１】
2006081598.tif 000003
【図２】
2006081598.tif 000004
【図３】
2006081598.tif 000005
【図４】
2006081598.tif 000006
【図５】
2006081598.tif 000007
【図６】
2006081598.tif 000008
【図７】
2006081598.tif 000009
【図８】
2006081598.tif 000010
【図９】
2006081598.tif 000011
【図１０】
2006081598.tif 000012
【図１１】
2006081598.tif 000013
【図１２】
2006081598.tif 000014
【図１３】
2006081598.tif 000015
【図１４】
2006081598.tif 000016